(57)【特許請求の範囲】
【請求項１】
スクリーンロック解除方法であって、
スクリーンにおけるタッチポイントの初期位置情報を取得するステップと、
ロック解除基準ポイントの位置情報を確定するステップと、
タッチポイントがスクリーンに継続的に移動することにより、前記スクリーンにおけるタッチポイントの現在位置情報を取得するステップと、
前記ロック解除基準ポイントを頂点とし、前記タッチポイントの初期位置と前記タッチポイントの現在位置との夾角を計算し、前記夾角が事前設定されたロック解除角度より大きい場合、スクリーンのロックを解除するステップと、を含むことを特徴とする方法。
【請求項２】
ロック解除基準ポイントの位置情報を確定することは、具体的には、
スクリーンにおいて、前記タッチポイントの初期位置との距離が事前設定された標準長さであるいずれかのポイントをロック解除基準ポイントとして選択することを特徴とする
請求項１に記載の方法。
【請求項３】
ロック解除基準ポイントの位置情報を確定することは、具体的には、
事前設定されたルールに従って前記スクリーンを少なくとも１つのエリアに分割し、
各スクリーンの分割エリアに１つのベンチマークポイントを生成し、
タッチポイントの初期位置情報に基づいて、事前設定された標準に準拠するベンチマークポイントをロック解除基準ポイントとして選択することを特徴とする
請求項１に記載の方法。
【請求項４】
事前設定された標準に準拠するベンチマークポイントをロック解除基準ポイントとして選択することは、具体的には、
タッチポイントの初期位置情報に基づいて、タッチポイントの初期位置が属しているスクリーンのエリアを判定し、
タッチポイントの初期位置が属しているスクリーンエリアのベンチマークポイントをロック解除基準ポイントとして選択することを特徴とする
請求項３に記載の方法。
【請求項５】
事前設定された標準に準拠するベンチマークポイントをロック解除基準ポイントとして選択することは、具体的には、
タッチポイントの初期位置とベンチマークポイントとの間の標準距離を設定し、
前記タッチポイントの初期位置と前記タッチポイントの初期位置が属しているエリアのベンチマークポイントとの間の距離を計算し、
前記計算された距離と前記標準距離を比較し、
前記計算された距離が前記標準距離より大きいときは、タッチポイントの初期位置が属しているエリアのベンチマークポイントをロック解除基準ポイントとして選択し、
前記計算された距離が前記標準距離より小さいときは、タッチポイントの初期位置にもっとも近い別のエリアにおけるベンチマークポイントをロック解除基準ポイントとして選択することを特徴とする
請求項３に記載の方法。
【請求項６】
ロック解除基準ポイント位置情報を確認するステップの後、さらに、
スクリーンに、前記ロック解除基準ポイントを起点とし、かつ前記タッチポイントの初期位置を通過する射線であるロック解除初期線を表示するステップを含むことを特徴とする
請求項１〜５のいずれか１項に記載の方法。
【請求項７】
前記方法は、スクリーンに、前記ロック解除基準ポイントを起点とし、かつ前記ロック解除初期線との夾角が事前設定されたロック解除角度とする射線であるロック解除ターゲット線を表示するステップをさらに含むことを特徴とする
請求項６に記載の方法。
【請求項８】
前記方法は、スクリーンに、前記ロック解除基準ポイントを中心ポイントとし、事前設定された長さを半径とする扇形ブロックを表示するステップをさらに含み、
前記扇形ブロックが属しているエリアは、ロック解除初期線と、ロック解除基準ポイントと現在の操作タッチポイントで確定された直線との２本の辺から形成されることを特徴とする
請求項７に記載の方法。
【請求項９】
スクリーンロック解除システムであって、
スクリーンにおけるタッチポイントの位置情報を検出し、前記情報を角度計算モジュールに送信することに用いられるスクリーン検出モジュールと、
ロック解除基準ポイントの位置情報を確認し、前記情報を角度計算モジュールに送信することに用いられる基準ポイント確認モジュールと、
前記ロック解除基準ポイントを頂点とし、前記タッチポイントの初期位置と前記タッチポイントの現在位置との夾角を計算し、計算された夾角をロック解除判定モジュールに送信することに用いられる角度計算モジュールと、
計算された夾角と事前設定されたロック解除角度を比較し、前記夾角が前記事前設定されたロック解除角度より大きい場合、スクリーンのロックを解除することに用いられるロック解除判定モジュールと、を備えることを特徴とするシステム。
【請求項１０】
前記基準ポイント確認モジュールは、スクリーンにおいて前記タッチポイントの初期位置との距離が事前設定された標準長さであるいずれかのポイントをロック解除基準ポイントとして選択することに用いられることを特徴とする
請求項９に記載のシステム。
【請求項１１】
前記基準ポイント確認モジュールは、
事前設定されたルールに従って、スクリーンを少なくとも１つのエリアに分割することに用いられるエリア分割モジュールと、
エリア分割モジュールにより分割された各エリアにベンチマークポイントを生成することに用いられるベンチマークポイント生成モジュールと、
タッチポイントの初期位置情報に基づいて、事前設定された標準に準拠するベンチマークポイントをロック解除基準ポイントとして選択することに用いられる基準ポイント選択モジュールと、を含むことを特徴とする
請求項９に記載のシステム。
【請求項１２】
前記基準ポイント選択モジュールは、
タッチポイントの初期位置とベンチマークポイントとの間の標準距離を設定し、前記標準距離値を距離比較モジュールに送信することに用いられる距離設定モジュールと、
前記タッチポイントの初期位置と前記タッチポイントの初期位置が属しているエリアのベンチマークポイントとの間の距離を計算し、計算された距離値を距離比較モジュールに送信することに用いられる距離計算モジュールと、
前記計算された距離と前記標準距離を比較することに用いられ、前記計算された距離が前記標準距離より大きいときは、タッチポイントの初期位置が属しているエリアのベンチマークポイントをロック解除基準ポイントとして選択し、前記計算された距離が前記標準距離より小さいときは、タッチポイントの初期位置にもっとも近い別のエリアにおけるベンチマークポイントをロック解除基準ポイントとして選択する距離比較モジュールとを含むことを特徴とする
請求項１１に記載のシステム。
【請求項１３】
前記システムは、前記事前設定されたロック解除角度を設定し、前記事前設定されたロック解除角度をロック解除判定モジュールに提供することに用いられる角度設定モジュールを更に備えることを特徴とする
請求項９に記載のシステム。
【請求項１４】
前記システムは、スクリーンに、前記ロック解除基準ポイントを起点とし、かつ前記タッチポイントの初期位置を通過する射線であるロック解除初期線を表示することに用いられる表示ロック解除判定モジュールを更に備えることを特徴とする
請求項９〜１３のいずれか１項に記載のシステム。
【請求項１５】
前記表示ロック解除判定モジュールは、さらに、スクリーンに、前記ロック解除基準ポイントを起点とし、かつ前記ロック解除初期線との夾角が事前設定されたロック解除角度とする射線であるロック解除ターゲット線を表示することに用いられることを特徴とする
請求項１４に記載のシステム。
【請求項１６】
前記表示ロック解除判定モジュールは、さらに、スクリーンに、前記ロック解除基準ポイントを中心ポイントとし、事前設定された長さを半径とする扇形ブロックを表示することに用いられ、
前記扇形ブロックが属しているエリアは、ロック解除初期線と、ロック解除基準ポイントと現在の操作タッチポイントで確定された直線との２本の辺から形成されることを特徴とする
請求項１５に記載のシステム。
【発明の詳細な説明】
【技術分野】
【０００１】
本発明は、移動端末応用分野に関し、特に、スクリーンロック解除システムおよびロック解除方法に関する。
【背景技術】
【０００２】
携帯電話の使用が徐々に広がることに伴い、携帯電話スクリーンロック解除方法は、近年で多様化の成長傾向を示し、最初のボタン電話がボタンを組み合わせることでロック解除を行うこと、タッチスクリーン携帯電話応用において、固定された軌跡に従ってタッチ操作を行い、ロック解除要素をターゲットエリアへ移動させ、ブランクエリアを充填することなどの様々なロック解除方式が、徐々に発展している。同時に、人体特徴に応じて携帯電話のロック解除を行い、例えば、顔、指紋、声などの特徴認識によりロック解除を行うことは、徐々に従来技術になって知られている。
【０００３】
現在、事前設定された表示経路に従って画像のロックを解除することができ、ロック解除の判定方法は、所定の姿態に対応し、タッチスクリーンに移動している画像の動きを、タッチスクリーンにおける事前定義された経路に対応させるタッチを検出した。上記のロック解除過程は、ロック解除経路と身振りが事前設定されなければ行われない。同時に、ロック解除インターフェイスの軌跡またはターゲットの設定も複雑であるので、一部のユーザ、特に中老年のユーザが、ロックの解除に成功することが困難な問題を引き起こす。
【０００４】
現在、スクリーンロック状態でタッチスクリーンにタッチすることができる場合、タッチスクリーンに、タッチポイントを中心とする、半径が事前設定されたロック解除の長さである１つの円が表示される。作業者は、任意の経路から、摺動距離が半径エリアを超える限り、ロックを解除することができる。しかし、ロック解除過程で、スクリーンを不注意にタッチとロック誤解除を引き起こす可能性がある。
【発明の概要】
【発明が解決しようとする課題】
【０００５】
本発明の目的は、ロック解除インターフェイスの軌跡またはターゲットの設定がより複雑であることにより、一部のユーザがロックの解除に成功することが困難な問題を解決する、スクリーンロック解除システム及び方法を提供することにある。
【課題を解決するための手段】
【０００６】
上記の技術的な問題を解決するために、本発明は、次のような技術的なスキームを採用する。
【０００７】
スクリーンロック解除方法であって、
スクリーンにおけるタッチポイントの初期位置情報を取得するステップと、
ロック解除基準ポイントの位置情報を確定するステップと、
タッチポイントがスクリーンに継続的に移動することにより、前記スクリーンにおけるタッチポイントの現在位置情報を取得するステップと、
前記ロック解除基準ポイントを頂点として、前記タッチポイントの初期位置と前記タッチポイントの現在位置との夾角を計算し、そして前記夾角が事前設定されたロック解除角度より大きい場合、スクリーンのロックを解除するステップと、を含む。
【０００８】
ここで、ロック解除基準ポイントの位置情報を確定することは、具体的には、
スクリーンにおいて、前記タッチポイントの初期位置との距離が事前設定された標準長さであるいずれかのポイントをロック解除基準ポイントとして選択する。
【０００９】
ここで、ロック解除基準ポイントの位置情報を確定することは、具体的には、
事前設定されたルールに従って前記スクリーンを少なくとも１つのエリアに分割し、
各スクリーンの分割エリアに１つのベンチマークポイントを生成し、
タッチポイントの初期位置情報に基づいて、事前設定された標準に準拠するベンチマークポイントをロック解除基準ポイントとして選択する。
【００１０】
ここで、事前設定された標準に準拠するベンチマークポイントをロック解除基準ポイントとして選択することは、具体的には、
タッチポイントの初期位置情報に基づいて、タッチポイントの初期位置が属しているスクリーンエリアを判定し、
タッチポイントの初期位置が属しているスクリーンエリアのベンチマークポイントをロック解除基準ポイントとして選択する。
【００１１】
ここで、事前設定された標準に準拠するベンチマークポイントをロック解除基準ポイントとして選択することは、具体的には、
タッチポイントの初期位置とベンチマークポイントとの間の標準距離を設定し、
前記タッチポイントの初期位置と前記タッチポイントの初期位置が属しているエリアのベンチマークポイントとの間の距離を計算し、
前記計算された距離と前記標準距離を比較し、
前記計算された距離が前記標準距離より大きいときは、タッチポイントの初期位置が属しているエリアのベンチマークポイントをロック解除基準ポイントとして選択し、
前記計算された距離が前記標準距離より小さいときは、タッチポイントの初期位置に最も近い別のエリアにおけるベンチマークポイントをロック解除基準ポイントとして選択する。
【００１２】
ここで、ロック解除基準ポイント位置情報を確認するステップの後、さらに、
スクリーンに、前記ロック解除基準ポイントを起点とし、かつ前記タッチポイントの初期位置を通過する射線であるロック解除初期線を表示するステップを含む。
【００１３】
ここで、当該方法は、さらに、
スクリーンに、前記ロック解除基準ポイントを起点とし、かつ前記ロック解除初期線との夾角が事前設定されたロック解除角度とする射線であるロック解除ターゲット線をスクリーンに表示するステップを含む。
【００１４】
ここで、当該方法は、さらに、
スクリーンに、前記ロック解除基準ポイントを中心ポイントとし、事前設定された長さを半径とする扇形ブロックをスクリーンに表示するステップを含む。
【００１５】
前記扇形ブロックが属しているエリアは、ロック解除初期線と、ロック解除基準ポイントと現在操作タッチポイントで確定された直線との２本の辺から形成される。
【００１６】
スクリーンロック解除システムは、
スクリーンにおけるタッチポイントの位置情報を検出し、前記情報を角度計算モジュールに送信することに用いられるスクリーン検出モジュールと、
ロック解除基準ポイントの位置情報を確認し、前記情報を角度計算モジュールに送信することに用いられる基準ポイント確認モジュールと、
前記ロック解除基準ポイントを頂点とし、前記タッチポイントの初期位置と前記タッチポイントの現在位置との夾角を計算し、計算された夾角をロック解除判定モジュールに送信することに用いられる角度計算モジュールと、
計算された夾角と事前設定されたロック解除角度を比較し、前記夾角が前記事前設定されたロック解除角度より大きい場合、スクリーンのロックを解除することに用いられるロック解除判定モジュールと、を備える。
【００１７】
ここで、前記基準ポイント確認モジュールは、スクリーンにおいて、前記タッチポイントの初期位置との距離が事前設定された標準長さであるいずれかのポイントをロック解除基準ポイントとして選択することに用いられる。
【００１８】
ここで、前記基準ポイント確認モジュールは、
事前設定されたルールに従って、スクリーンを少なくとも１つのエリアに分割することに用いられるエリア分割モジュールと、
エリア分割モジュールにより分割された各エリアにベンチマークポイントを生成することに用いられるベンチマークポイント生成モジュールと、
タッチポイントの初期位置情報に基づいて、事前設定された標準に準拠するベンチマークポイントをロック解除基準ポイントとして選択することに用いられる基準ポイント選択モジュールと、を含む。
【００１９】
ここで、前記基準ポイント選択モジュールは、
タッチポイントの初期位置とベンチマークポイントとの間の標準距離を設定し、そして前記標準距離値を距離比較モジュールに送信することに用いられる距離設定モジュールと、
前記タッチポイントの初期位置と前記タッチポイントの初期位置が属しているエリアのベンチマークポイントとの間の距離を計算し、そして計算された距離値を距離比較モジュールに送信することに用いられる距離計算モジュールと、
前記計算された距離と前記標準距離を比較することに用いられ、
前記計算された距離が前記標準距離より大きいときは、タッチポイントの初期位置が属しているエリアのベンチマークポイントをロック解除基準ポイントとして選択し、前記計算された距離が前記標準距離より小さいときは、タッチポイントの初期位置にもっとも近い別のエリアにおけるベンチマークポイントをロック解除基準ポイントとして選択する距離比較モジュールと、を含む。
【００２０】
ここで、前記システムは、さらに、
前記事前設定されたロック解除角度を設定し、前記事前設定されたロック解除角度をロック解除判定モジュールに提供することに用いられる角度設定モジュールを備える。
【００２１】
ここで、前記システムは、さらに、
スクリーンに、前記ロック解除基準ポイントを起点とし、かつ前記タッチポイントの初期位置を通過する射線であるロック解除初期線を表示することに用いられる表示ロック解除判定モジュールを備える。
【００２２】
ここで、前記表示ロック解除判定モジュールは、さらに、スクリーンに、前記ロック解除基準ポイントを起点とし、かつ前記ロック解除初期線との夾角が事前設定されたロック解除角度となる線であるロック解除ターゲット線を表示することに用いられる。
【００２３】
ここで、前記表示ロック解除判定モジュールは、さらに、スクリーンに、前記ロック解除基準ポイントを中心ポイントとし、事前設定された長さを半径とする扇形ブロックを表示することに用いられる。
【００２４】
前記扇形ブロックが属しているエリアは、ロック解除初期線と、ロック解除基準ポイントと現在の操作タッチポイントで確定された直線との２本の辺から形成される。
【発明の効果】
【００２５】
本発明の技術的なスキームによれば、ロック解除過程にてタッチポイントの初期位置とタッチポイントの現在位置情報のみを注目し、そしてロック解除基準ポイントを頂点として、タッチポイントの初期位置とタッチポイントの現在位置との夾角を計算し、夾角に基づいてロック解除処理を行う。本発明の技術的なスキームでは、ロック解除経路とロック解除ターゲット位置が限定されないので、操作がより自由であり、ユーザ体験が向上する。本発明は、複雑な設定がなく、より便利に使用され、同時に、一定のロック解除角度を設定することにより、ロック誤解除状況の発生を防止することができ、よい実用スペースを持っている。
【図面の簡単な説明】
【００２６】
【図１】本発明に係るスクリーンロック解除システムの構造を示す図である。
【図２】本発明に係るスクリーンロック解除方法の実施形態１のフローチャートである。
【図３】本発明に係るスクリーンロック解除方法の実施形態１に係るユーザインターフェイスの表示を示す図である。
【図４】本発明に係るスクリーンロック解除方法の実施形態２のフローチャートである。
【図５】本発明に係るスクリーンロック解除方法の実施形態２のユーザインターフェイスの表示を示す図である。
【図６】本発明に係るスクリーンロック解除方法の実施形態３のフローチャートである。
【図７】本発明に係るスクリーンロック解除方法の実施形態３のユーザインターフェイスの表示を示す図である。
【図８】本発明に係るユーザスクリーンインターフェイスの表示効果を示す図である。
【発明を実施するための形態】
【００２７】
図面を参照して、本発明の具体的な実施形態を更に詳しく説明する。
【００２８】
本発明に係るスクリーンロック解除システムが、図１に示される。本発明に係るロック解除システムの１つの実施形態には、タッチポイントの初期位置情報とタッチポイントの現在位置情報が含まれる、スクリーンにおけるタッチポイントの位置情報を取得することに用いられるスクリーン検出モジュールと、ロック解除基準ポイントを生成することに用いられる基準ポイント確認モジュールと、前記ロック解除基準ポイントを固定点とするタッチポイントの初期位置とタッチポイントの現在位置との夾角を取得することに用いられる角度計算モジュールと、前記夾角が事前設定されたロック解除角度より大きい場合、スクリーンのロックを解除することに用いられるロック解除判定モジュールと、を備える。
【００２９】
具体的な操作過程としては、スクリーンがロックされた状態において、ユーザがスクリーンをタッチする場合、スクリーン検出モジュールは、この場合のスクリーンにおけるタッチポイントの初期位置を取得し、同時に、基準ポイント確認モジュールは、ロック解除基準ポイントの位置情報を角度計算モジュールに送信する。この後、継続的にスクリーンをタッチしてスライドし、スクリーン検出モジュールは、連続的にユーザタッチスクリーンにおけるタッチポイントの現在位置情報を取得し、取得された初期位置情報と現在位置情報を角度計算モジュールに送信し、角度計算モジュールは、ロック解除基準ポイントとタッチポイントの位置情報を取得した後、ロック解除基準ポイントを固定点として、タッチポイントの初期位置とタッチポイントの現在位置との夾角を計算し、夾角値をロック解除判定モジュールに送信する。ロック解除判定モジュールは、角度計算モジュールより提供された夾角値と事前設定されたロック解除角度を比較し、計算された夾角が事前設定されたロック解除角度より大きい場合、スクリーンのロックを解除する。
【００３０】
ここで、基準ポイント確認モジュールは、具体的に、スクリーンに、前記タッチポイントの初期位置との距離が事前設定された標準長さであるいずれかのポイントをロック解除基準ポイントとして選択することに用いられる。具体的な実施形態において、タッチポイントの初期位置がスクリーンのある辺に近い場合、当該辺の逆方向のエリアにロック解除基準ポイントを選択し、例えば、タッチポイントの初期位置がスクリーンの右辺に近い場合、タッチポイントの左辺の半円に選択する。
【００３１】
本発明に係るロック解除システムの別の実施形態には、事前設定されたルールに従ってスクリーンを少なくとも１つのエリアに分割することに用いられるエリア分割モジュールと、スクリーン分割の各エリアにベンチマークポイントを生成することに用いられるベンチマークポイント生成モジュールと、タッチポイントの初期位置情報に基づいて標準に準拠したベンチマークポイントをロック解除基準ポイントとして選択することに用いられる基準ポイント選択モジュールと、を備える。タッチポイントの初期位置が属しているエリアのベンチマークポイントを、ロック解除基準ポイントとして、直接選択することができる。
【００３２】
具体的には、距離設定モジュール、距離計算モジュール、距離比較モジュールにより、ロック解除基準ポイントを選択することもできる。距離設定モジュールは、タッチポイントの初期位置とベンチマークポイントとの間の標準距離を事前設定し、事前設定された距離値を距離比較モジュールに提供する。スクリーンをタッチする場合、距離計算モジュールにより、タッチポイントの初期位置とタッチポイントの初期位置が属しているエリアのベンチマークポイントとの間の距離を計算し、距離比較モジュールに提供する。その後、距離比較モジュールは、計算距離と標準距離を比較し、前記計算距離が前記標準距離より大きいときは、タッチポイントの初期位置が属しているエリアのベンチマークポイントをロック解除基準ポイントとして選択し、前記計算距離が前記標準距離より小さいときは、タッチポイントの初期位置にもっとも近い別のエリアにおけるベンチマークポイントをロック解除基準ポイントとして選択する。
【００３３】
本発明に係るロック解除システムには、事前設定されたロック解除角度を設定してロック解除判定モジュールに提供してロック解除を判定することに用いられることができる角度設定モジュールが含まれてもよい。
【００３４】
表示効果とユーザの使用便利を保証するために、本発明のシステムには、スクリーンに、ロック解除基準ポイントを起点とし、タッチポイントの初期位置を通過する射線であるロック解除初期線を表示することに用いられる表示処理モジュールが含まれてもよい。表示処理モジュールは、スクリーンに、ロック解除基準ポイントを起点とし、且つ前記ロック解除初期線との夾角が事前設定されたロック解除角度となる射線であるロック解除ターゲット線を表示することができ、表示処理モジュールは、さらに、スクリーンにおけるロック解除初期線とロック解除ターゲット線から形成されるエリアに、前記ロック解除基準ポイントを中心ポイントとし、事前設定された長さを半径とする扇形ブロックを表示することができる。
【００３５】
図２は本発明に係るスクリーンロック解除方法の実施形態１のフローチャートである。当該方法は、スクリーンにおけるタッチポイントの初期位置情報を取得するステップと、ロック解除基準ポイント位置情報を確認するステップと、タッチポイントがスクリーンに継続的に移動することにより、スクリーンにおけるタッチポイントの現在位置情報を取得するステップと、ロック解除基準ポイントを頂点とし、タッチポイントの初期位置とタッチポイントの現在位置との夾角を計算するステップと、計算された夾角が事前設定されたロック解除角度より大きいときは、スクリーンのロックを解除するステップと、を含む。
【００３６】
図３を参照して実施形態１を詳しく説明する。図３は実施形態１のユーザインターフェイス表示を示す図である。スクリーンインターフェイス２０１において、ユーザがスクリーンにタッチする場合、タッチスクリーンにおけるユーザの入力を検出してタッチポイントの初期位置２０１２の位置情報を検出する。この時に、スクリーンにロック解除基準ポイント２０１１を生成する。ロック解除基準ポイントを生成した後、ユーザの入力軌跡の最新ポイントに基づいてロック解除基準ポイントを頂点とし、タッチポイントの初期位置と現在のタッチポイントの現在位置２０１３との夾角２０１４を継続的に計算する。ユーザの入力軌跡のタッチポイントの現在位置とタッチポイントの初期位置の夾角がロック解除夾角より大きいと判定した場合、スクリーンロック解除を起動する。タッチポイントの現在位置は、現在ユーザがスクリーン上でスライドするタッチポイントであってよく、スライドが終了した後にスクリーンから離す前にタッチする最後のポイントの位置であってもよいことに留意すべきである。
【００３７】
ロック解除基準ポイントの位置を確認する場合、まず１つの標準長さを事前設定することで、スクリーンにタッチポイントの初期位置との距離が標準長さであるいずれかのポイントをロック解除基準ポイントとして選択することができる。具体的な実施形態において、タッチポイントの初期位置がスクリーンのある辺に近い場合、当該辺の逆方向のエリアにロック解除基準ポイントを選択し、例えば、タッチポイントの初期位置がスクリーンの右辺に近い場合、ロック解除基準ポイントをタッチポイントの左辺の半円に選択する。
【００３８】
図４は本発明に係るスクリーンロック解除方法の実施形態２のフローチャートである。実施形態１とは異なり、当該実施形態にロック解除基準ポイントを生成する具体的な過程は、事前設定されたルールに従ってスクリーンを少なくとも１つのエリアに分割し、各分割エリアに１つのベンチマークポイントを生成し、タッチポイントの初期位置情報に基づいて事前設定された標準に準拠したベンチマークポイントをロック解除基準ポイントとして選択する。
【００３９】
図５を参照して実施形態２を具体的に説明する。図５は実施形態２におけるユーザインターフェイス表示を示す図である。この実施形態としては、タッチポイントの初期位置が属しているスクリーンのエリアを判定し、タッチポイントの初期位置が属しているスクリーンエリアのベンチマークポイントをロック解除基準ポイントとして選択する。具体的には、スクリーンインターフェイス３０１に、スクリーンを縦方向の正中線と横方向の正中線でエリア１〜エリア４の４つのエリアに分割する。エリア１を例とすると、ユーザが初めてスクリーンのエリア１の位置をタッチする場合、即ちタッチポイントの初期位置がスクリーンエリア１に位置する場合、エリア１のベンチマークポイント３０１１をロック解除基準ポイントとして選択する。それに応じて、タッチポイントの初期位置が他のエリアに位置する場合、対応するエリアのベンチマークポイントをロック解除基準ポイントとして選択し、選択されたロック解除基準ポイントを頂点として、後続の判定を行う。本実施形態のベンチマークポイントは、各エリアの中心ポイントに設定されることができる。
【００４０】
なお、スクリーンをエリアに分割する場合、上記の実施形態によるスクリーンに対する分割方法には限定されず、スクリーンを１つのエリアに分割し、即ちスクリーンの中心ポイントをロック解除基準ポイントとして、直接選択することができる。または、他のより合理的な分割方式でスクリーンをエリアに分割することができる。
【００４１】
上記の実施形態により、スクリーンが大き過ぎる場合、固定のロック解除基準ポイントによってユーザのロック解除経路が長すぎる問題を解決することができる。しかし、初期のロック解除タッチポイントがロック解除基準ポイントに近すぎると、スクリーン上で僅かに移動しても大きい角度を計算する可能性があり、ロック誤解除を引き起こす可能性がある。
【００４２】
図６は本発明に係るロック解除方法の実施形態３のフローチャートである。実施形態３と実施形態２との違いは、事前設定された標準に準拠するベンチマークポイントをロック解除基準ポイントとして選択することが具体的に、タッチポイントの初期位置とベンチマークポイントとの間の標準距離を設定することと、前記タッチポイントの初期位置と前記タッチポイントの初期位置が属しているエリアのベンチマークポイントとの間の距離を判定することと、前記距離と前記標準距離を比較することと、比較結果に基づいて、対応するベンチマークポイントをロック解除基準ポイントとして選択することとを含むことにある。さらに、比較結果に基づいて対応するベンチマークポイントをロック解除基準ポイントとして選択することは、具体的に、前記距離が前記標準距離より大きいときは、タッチポイントの初期位置が属しているエリアのベンチマークポイントをロック解除基準ポイントとして選択し、前記距離が前記標準距離より小さいときは、タッチポイントの初期位置にもっとも近い別のエリアのベンチマークポイントをロック解除基準ポイントとして選択することを含む。
【００４３】
具体的には、図７を参照して実施形態３を更に説明する。図７は実施形態３に係るユーザインターフェイス表示を示す図である。スクリーンインターフェイス４０１に、スクリーンを２つのエリアに分割し、それぞれ対応してベンチマークポイント一４０１１とベンチマークポイント二４０１２との２つのベンチマークポイントを有する。ユーザがスクリーンの第１ポイントをタッチする場合、即ちタッチポイントの初期位置が図に示すエリアに位置する場合、タッチポイントの初期位置４０１３とベンチマークポイント二４０１２との間の距離を判定し、タッチポイントの初期位置４０１３とベンチマークポイント二４０１２との間の距離が標準距離４０１６より大きいときは、ベンチマークポイント二４０１２をロック解除基準ポイントとして選択し、タッチポイントの初期位置４０１３とベンチマークポイント二４０１２との間の距離が標準距離４０１６より小さいときは、ベンチマークポイント一４０１１をロック解除基準ポイントとして選択し、そしてロック解除するかどうかを判定し続ける。
【００４４】
上記の実施形態により、ロック解除操作タッチポイントの初期位置とロック解除基準ポイントの間に一定の距離を維持することを保証し、ロック解除操作のタッチポイントの初期位置とロック解除基準ポイントの間の距離が近い場合に、ユーザのスクリーン上の僅かな動きによって、スクリーンのロックが解除されてスクリーンのロック誤解除を引き起こすことを防止することができる。
【００４５】
ロック解除アイコンの表示効果問題に関し、いかなるロック解除アイコンも表示しなくともよい。いかなるロック解除アイコンも表示しないとき、ユーザがスクリーンに随意にスライドして一定の角度を経てるとロックを解除できるという使用結果をユーザに与える。
【００４６】
好ましくは、ユーザの操作によって、ユーザの現在の操作ポイントにロック解除アイコンを生成することができる。図８はユーザスクリーンインターフェイスの表示効果を示す図である。
【００４７】
ユーザの指またはタッチペンがスクリーンにタッチした場合、スクリーンには、ロック解除基準ポイント５０１３が表示され、前記ロック解除基準ポイントを起点とし、前記タッチポイントの初期位置を通過する射線は、ロック解除初期線５０１１である。前記ロック解除基準ポイントを起点とし、かつ前記ロック解除初期線５０１１との夾角が事前設定されたロック解除角度と等しい射線は、ロック解除ターゲット線５０１２である。そして前記ロック解除基準ポイントを中心ポイントとし、事前設定された長さを半径とする扇形ブロック５０１４を表示することができる。前記扇形ブロック５０１４が属しているエリアが、ロック解除初期線５０１１と、ロック解除基準ポイントと現在の操作タッチポイントで確定された直線との２本の辺から形成される。ユーザの指またはタッチペンがロック解除角度範囲内に移動する場合、スクリーンに異なる視覚効果で扇形ブロック５０１４が表示され、指操作で扇形走査エリア角度を動かせる操作体験を使用者に与える。角度５０１５が事前設定された標準に達する場合、携帯電話は、ロックを解除されることができる。
【００４８】
上述したように、本発明に係るスクリーンロック解除方法とスクリーンインストールシステムでは、ロック解除基準ポイントを頂点とし、スクリーンにおけるタッチポイントの初期位置と現在位置との夾角を計算することでロック解除を判定する。本発明の技術的なスキームは、ロック解除経路とロック解除ターゲット位置を限定しないので、操作がより自由であり、ユーザ体験を向上させ、同時に、設定が簡単であり、使用しやすく、設定によりロック誤解除の発生を防止することができる。
【００４９】
上記は、本発明の好ましい実施形態に過ぎず、本発明の保護範囲を限定することに用いられるものではない。
【図１】
0005844482.tif 000002
【図２】
0005844482.tif 000003
【図３】
0005844482.tif 000004
【図４】
0005844482.tif 000005
【図５】
0005844482.tif 000006
【図６】
0005844482.tif 000007
【図７】
0005844482.tif 000008
【図８】
0005844482.tif 000009